(57)【要約】【課題】  各方向に対して制御手段としてそれぞれ独立したボタンを具えて操作上明確に操作者の意図を達成し、誤動作を防止する分離式方向コントローラーの提供。【解決手段】  花弁型孔板と複数の扇形ボタンと長方形ボタンで組成され、花弁型孔板上に扇形孔と長方形孔が離間形態を呈するよう形成され、扇形ボタンと長方形ボタン底面周囲より翼部が延伸され、且つ各長方形ボタンの両側の翼部が隣り合う扇形ボタンの翼部上方に重ね合わされ、手指による急速な移動、開放、押圧等の変化によっても他の意図しないボタンに誤触して回路の誤動作を発生することがなく、操作性能上、簡単、明確で、操作者に即時に正確に反応させてゲームの楽しみを増し記録を敗る成就感を得やすくさせる。【選択図】        図４
0003105098.tif 000002
【実用新案登録請求の範囲】
【請求項１】
対称な左、右ハンドルを具え、コントローラー周囲前方両側に操作ボタンが設けられ、左ハンドル表面に方向制御ボタンが設けられ、右ハンドル表面に複数の機能ボタンが設けられ、コントローラー内に基板が設けられて電気接続方式で接続ケーブルが延伸された分離式方向コントローラーにおいて、
該方向制御ボタンが花弁型孔板と四つの扇形ボタン及び四つの長方形ボタンを具え、花弁型孔板に扇形ボタンの嵌め込みに供される四つの扇形孔と長方形ボタンの嵌め込みに供される四つの長方形孔が設けられ、扇形ボタンと長方形ボタンが相互に離間し環状形態を以て配置され、扇形ボタンと長方形ボタンの底面周囲より翼部が延伸され、長方形ボタンの翼部が扇形ボタンの翼部上方に重ね置かれ、これにより使用時に操作上、明確に操作者の意図を表現して誤動作を発生させないことを特徴とする、分離式方向コントローラー。
【請求項２】
請求項１記載の分離式方向コントローラーにおいて、方向制御ボタンが使用者が左ききか右ききかにより左或いは右ハンドルに設置され、且つ操作範囲が操作者の左手或いは右手の親指活動範囲に符合して操作に便利とされたことを特徴とする、分離式方向コントローラー。
【考案の詳細な説明】
【技術分野】
【０００１】
本考案は一種のゲーム機用の平板型方向コントローラーに係り、特に周知の一体成形の方向コントローラーとは異なり、各方向に制御手段として独立したボタンを具え、操作上、明確に操作者の意図を表現でき、誤動作を発生しない分離式方向コントローラーに関する。
【背景技術】
【０００２】
一般に新しく電化製品を購入するときは、平板型コントローラーが添付されており、特に、テレビゲーム機を購入する時には一つ以上の配備が必要である。ゲーム機に附属のコントローラーはいずれもゲーム機メーカーが各種の試験を行なった上で市場に出され、人間工学、操作性、安定性、握持快適性、造形等の方面からみて、大幅な改修によってももとの製品の性能の水準を失うという可能性はない。市販されているコントローラーのほとんどは、有名メーカーの設計したコントローラーの外形を模倣し並びに僅かな改修を加えてなり、ゆえに外形がオリジナルと類似しているが、実際の操作性能はオリジナル製品の品質に及ばない。これは模倣製品はオリジナル製品の設計のキーポイントを掌握していないためであり、このため任意に各ユニットのサイズ或いは機構を改変すると、全体性能が破壊されてしまう。
【０００３】
現在、テレビゲーム機、コンピュータゲーム機、或いはパームトップ型ゲーム機等の操作機能を提供するコントローラーは、ゲーム中の目標物動作の操作上、操作に便利な使用目的を達成し、全体外形は人間光学に符合する設計原則に沿っているが、実際の使用上、周知の一体成形の円盤式方向コントローラーは、操作者が急速に方向変換する時のボタン操作において、他のボタンを誤って押す誤触が非常に発生しやすく、このために操作者の意図しない回路誤動作の現象が発生し、使用に不便である。また、コントローラーの方向制御を正確に行なおうとすれば、ゆっくりとボタンを押圧しなければならず、これは瞬時に変化するゲームに対して反応を難しくし、操作者に挫折感を形成し、記録を敗る成就感を達成させにくくする。
【考案の開示】
【考案が解決しようとする課題】
【０００４】
本考案はゲーム機用の分離式方向コントローラーを提供することを課題とし、それは、同じ回路基板上にあって、異なる型式のボタンで組成された押圧式方向コントローラーに同じ電気接触装置を組み合わせることにより、電気回路に動作を発生させ、且つ電気接触装置を異なる型式のボタンで操作しつつ、明確に操作者の意図を表現できるものとして手と脳の不協調、混乱による誤動作を形成しないようにした分離式方向コントローラーであるものとする。
【０００５】
本考案のもう一つの目的は、一種の分離式方向コントローラーを提供することにあり、それは、広く家電製品、例えばテレビジョン受像機、録画再生機、ＤＶＤ、ＶＣＤ、ＣＤプレイヤー、エアコン等のリモートコントローラー、或いはパーソナルコンピュータ、テレビゲーム機、パームトップ型ゲーム機、自動車のリモートコントロール装置、建築物のシャッターコントローラー等の用途に広く応用できるものとする。
【課題を解決するための手段】
【０００６】
請求項１の考案は、対称な左、右ハンドルを具え、コントローラー周囲前方両側に操作ボタンが設けられ、左ハンドル表面に方向制御ボタンが設けられ、右ハンドル表面に複数の機能ボタンが設けられ、コントローラー内に基板が設けられて電気接続方式で接続ケーブルが延伸された分離式方向コントローラーにおいて、
該方向制御ボタンが花弁型孔板と四つの扇形ボタン及び四つの長方形ボタンを具え、花弁型孔板に扇形ボタンの嵌め込みに供される四つの扇形孔と長方形ボタンの嵌め込みに供される四つの長方形孔が設けられ、扇形ボタンと長方形ボタンが相互に離間し環状形態を以て配置され、扇形ボタンと長方形ボタンの底面周囲より翼部が延伸され、長方形ボタンの翼部が扇形ボタンの翼部上方に重ね置かれ、これにより使用時に操作上、明確に操作者の意図を表現して誤動作を発生させないことを特徴とする、分離式方向コントローラーとしている。
請求項２の考案は、請求項１記載の分離式方向コントローラーにおいて、方向制御ボタンが使用者が左ききか右ききかにより左或いは右ハンドルに設置され、且つ操作範囲が操作者の左手或いは右手の親指活動範囲に符合して操作に便利とされたことを特徴とする、分離式方向コントローラーとしている。
【考案の効果】
【０００７】
本考案の分離式方向コントローラーは、新規な方向コントローラーの設計を有し、構造設計の理念上、周知の技術の凡庸さを超越し、操作上、更に有効なリアルタイム反応が行なえるほか、誤動作の現象を完全に排除でき、機能上、顕著に改善され並びに高い実用価値を有している。なお、本考案の以下の実施例の説明及び図面に基づきなしうる細部の修飾或いは改変は、いずれも本考案の権利請求範囲に属するものとする。
【考案を実施するための最良の形態】
【０００８】
本考案によると、コントローラー本体に方向コントローラーが設けられ、該方向コントローラーは、花弁型孔板と複数の扇形ボタンと長方形ボタンで組成され、花弁型孔板上に扇形孔と長方形孔が離間形態を呈するよう形成され、それぞれ上、下、左、右等の扇形ボタンと左上、右上、左下、右下等の方向の長方形ボタンの嵌め込みに供され、全ての扇形ボタンと長方形ボタン底面周囲より翼部が延伸され、且つ各長方形ボタンの両側の翼部が隣り合う扇形ボタンの翼部上方に重ね合わされ、使用上、手指により各方向を代表する扇形ボタン或いは長方形ボタンをそれぞれ且つ正確に押圧でき、手指の急速な移動、開放、押圧等の変化によっても意図しないボタンに誤触して電気回路の誤動作を発生することがなく、全体のコントローラーが操作性能上、簡単、明確で、操作者に即時に正確に反応させてゲームの楽しみを増し記録を敗る成就感を得やすくさせるものとされている。
【実施例１】
【０００９】
図１に示される本考案のコントローラー（１）は、相互に対称な左、右ハンドル１０、１１を具え、操作者の左、右手に快適な握持を提供し、コントローラー１の周囲前方両側に操作ボタン１２が設けられて、操作者が左、右手でそれぞれ左、右ハンドル１０、１１を握持する時に手指で簡単に接触制御できる機能を提供している。また、左ハンドル１０の表面に方向制御ボタン１３が設けられ、右ハンドル１１の表面に複数の機能ボタン１４が設けられ、操作者がゲームを行なう時の全面性操作機能を提供し、並びにゲーム過程での多元化した変化性と趣味性を提供する。また、コントローラー１内に基板２が設けられ、且つ電気接続方式で接続ケーブル１５が延伸されている。このほか、上述の方向制御ボタン１３は設置上、左ハンドル１０表面に限定されるわけではなく、実際の位置は使用者（右ききか左ききか）の必要に応じて自由に左、右ハンドル１０、１１上に配置され、且つ操作範囲は操作者の左手或いは右手親指活動範囲に合わせて調整され、これにより操作者の操作に便利であるものとされる。
【００１０】
図４から図６に示されるように、本考案の特徴は、上述の方向制御ボタン１３にあり、その構造は、花弁型孔板１３１と上、下、左、右方向を代表する扇形ボタン１３２と、左上、右上、左下、右下方向を代表する長方形ボタン１３３で組成されている。
【００１１】
該花弁型孔板１３１は上、下、左、右方向を代表する扇形ボタン１３２の嵌め込みに供される四つの扇形孔１３４と、左上、右上、左下、右下方向を代表する長方形ボタン１３３の嵌め込みに供される四つの長方形孔１３５を具えている。
【００１２】
図４、６に示されるように、上、下、左、右方向を代表する扇形ボタン１３２と左上、右上、左下、右下方向を代表する長方形ボタン１３３は相互に離間し全体で環状形態をなすよう配置され、全ての扇形ボタン１３２と長方形ボタン１３３の底綿周囲より翼部１３６が延伸され、且つ左上、右上、左下、右下方向を代表する長方形ボタン１３３の翼部１３６は上、下、左、右方向を代表する扇形ボタン１３２の翼部１３６の上方に重ね置かれる。
【００１３】
組立上、先ず左上、右上、左下、右下方向を代表する長方形ボタン１３３を対応する長方形孔１３５内に嵌め込み、続いて上、下、左、右方向を代表する扇形ボタン１３２を対応する扇形孔１３４内に嵌め込み、最後に全体の方向制御ボタン１３をコントローラー１の左ハンドル１０の表面に設けられた孔に挿入し、その底面と基板２上の導電ゴム２０上方を相互に接触させて組立を完成し、これは図５に示されるとおりである。
【００１４】
上述のコントローラー１の構造設計は、実際の使用上、操作者がゲームを行なう時、両手で左、右ハンドル１０、１１を握持し、この時、左手親指が自然に方向制御ボタン１３上に置かれ、右手親指が自然に複数の機能ボタン１４位置に置かれ、ゲームの必要に応じて、自由に目標物の進行方向を制御できる。例えば、目標物の進行方向制御においては、右方向の扇形ボタン１３２を押すと前進、左方向の扇形ボタン１３２を押すと後退、上方向の扇形ボタン１３２を押すとジャンプ、下方向の扇形ボタン１３２を押すとひざまずき、右上方の長方形ボタン１３３を押すと前進しながらジャンプ、左上方の長方形ボタン１３３を押すと後退しながらジャンプ、右下方の長方形ボタン１３３を押すと前進しながらひざまずき左下方の長方形ボタン１３３を押すと、後退しながらひざまずく等のモードとする。もし続けて一方向の扇形ボタン１３２或いは長方形ボタン１３３を押すと、操作者が開放するまで続けて目標物にそのボタンに対応する動作を行なわせる。
【００１５】
図７に示されるように、上述の各方向を代表する扇形ボタン１３２と長方形ボタン１３３はいずれも独立した制御ユニットであり、このため操作者がゲームを行なう過程で、目標物は錯誤の連動現象（誤動作）を発生しにくく、それに正確な反応を形成させやすく、ゲームを順調に進めて娯楽硬化を高め、また記録を敗る成就感を操作者にもたらすことができる。このほか、回路の信号伝送方面では、上、下、左、右方向を代表する扇形ボタン１３２は押圧後にそれぞれその下方の導電ゴム２０の接触により電気回路に変化が発生し、並びに単一の信号変化がゲーム機内に伝送されて目標物に単一移動動作を形成させ、簡単で明確である。さらに図８に示されるように、左上、右上、左下、右下方向を代表する長方形ボタン１３３を押圧後にはその両隣の上、下、左、右方向を代表する扇形ボタン１３２が連動を発生して下向きに二つの導電ゴム２０に接触し作動させるため、この信号変化がゲーム機内に伝送されて目標物に複合（或いはゲームの設定による）の動作を発生させる。
【００１６】
以上の本考案の特徴の詳細な構造及びその動作方式の記載から分かるように、この特殊設計の分離式方向制御ボタン１３のコントローラー１を利用してゲームを行なう時、目標物に急速で且つ正確な移動を行なわせることができ、誤動作を発生せず、これにより明確に操作者の意図を表現でき、且つ操作者の手と脳の不協調或いは混乱の状況が発生せず、特に全体のコントローラー１の外観上、周知の技術よりも活発な造形変化を有し、若者の好みに符合し、目立つ外観を有している。
【図面の簡単な説明】
【００１７】
【図１】本考案の実施例の外観構造図である。
【図２】本考案の別の実施例の外観構造図である。
【図３】本考案のさらに別の実施例の外観構造図である。
【図４】本考案の実施例の方向コントローラーの分解図である。
【図５】本考案の実施例の方向コントローラーの組合せ図である。
【図６】本考案の実施例の方向コントローラーの正面、背面図である。
【図７】本考案の実施例の方向コントローラーの断面動作表示図である。
【図８】本考案の実施例の方向コントローラーの立体動作表示図である。
【符号の説明】
【００１８】
１  コントローラー                        １０、１１  ハンドル
１２  操作ボタン                          １３  方向制御ボタン
１３１  花弁型孔板                        １３２  扇形ボタン
１３３  長方形ボタン                      １３４  扇形孔
１３５  長方形孔                          １３６  翼部
１４  機能ボタン                          １５  接続ケーブル
２  基板                                  ２０  導電ゴム
【図１】
0003105098.tif 000003
【図２】
0003105098.tif 000004
【図３】
0003105098.tif 000005
【図４】
0003105098.tif 000006
【図５】
0003105098.tif 000007
【図６】
0003105098.tif 000008
【図７】
0003105098.tif 000009
【図８】
0003105098.tif 000010